【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
流体ディスペンサのための継手であって、前記継手は、長手軸を有し、そして
長手方向接触力を、前記ディスペンサの末端面に対して印加することによって、前記継手中への前記ディスペンサの長手方向挿入を制限するように構成される、移動止めと、
前記表面が前記移動止めに当接すると、前記表面によって、前記表面に対する密封接触に変形されるように構成されるシールと、前記表面を受容し、前記移動止めおよび前記シールを支持するように構成される本体と、を備える、継手。
【請求項２】
前記移動止めは、前記ディスペンサと流体連通して置かれるように構成される開口部を画定する、請求項１に記載の継手。
【請求項３】
前記シールは、前記移動止めを囲む、請求項１に記載の継手。
【請求項４】
前記移動止めは、前記シールを囲む、請求項１に記載の継手。
【請求項５】
前記本体は、内壁を含み、そして前記ディスペンサは、側壁を含み、前記表面が、前記シールに対して密封接触し、前記移動止めに当接するとき、前記内壁、前記側壁、および前記シールが、前記ディスペンサとの流体連通から隔離される領域を画定する、請求項２に記載の継手。
【請求項６】
前記領域は、第１の体積を有する第１のデッドスペースであり、前記移動止めは、前記表面と接触するとき、第２の体積を有する第２のデッドスペースを画定し、第２の体積は、前記第１の体積の１％を超えない、請求項５に記載の継手。
【請求項７】
前記第２のデッドスペースは、前記表面と前期移動止めとの間の接触部と横方向に同延であり、前記表面と前期移動止めとの間で長手方向に延びる領域内に１つまたはそれを上回る体積を含む、請求項６に記載の継手。
【請求項８】
前記第２のデッドスペースは、前記シール内にある、請求項６に記載の継手。
【請求項９】
前記密封接触は、前記ディスペンサが流体を分注するために作動されるとき、前記ディスペンサから前記領域への前記流体の漏出を防止するために十分である、請求項５に記載の継手。
【請求項１０】
前記ディスペンサは、初期体積の流体で事前充填され、前記本体は、前記開口部と流体連通する空隙を画定し、前記空隙は、前記初期体積の１０％以上の空隙体積を有する、請求項２に記載の継手。
【請求項１１】
前記空隙体積は、前記初期体積の２５％以上である、請求項１０に記載の継手。
【請求項１２】
前記空隙体積は、前記初期体積の５０％以上である、請求項１０に記載の継手。
【請求項１３】
前記空隙体積は、前記初期体積の７５％以上である、請求項１０に記載の継手。
【請求項１４】
前記空隙体積は、前記初期体積の９０％以上である、請求項１０に記載の継手。
【請求項１５】
前記空隙と流体連通する針のオリフィスを通して分注される流体の体積は、前記空隙体積以上の量だけ減少される、前記初期体積である、請求項１０に記載の継手。
【請求項１６】
前記シールは、環状である、請求項１に記載の継手。
【請求項１７】
前記シールは、近位面を含み、前記シールは、前記近位面から離間される、遠位面を含む、請求項１に記載の継手。
【請求項１８】
前記近位面および前記遠位面は、実質的に平行である、請求項１７に記載の継手。
【請求項１９】
前記シールは、長手方向に延在する外面を含み、前記シールは、長手方向に延在する内面を含む、請求項１７に記載の継手。
【請求項２０】
前記遠位面および前記内面は、約９０°の角度で交差し、前記遠位面および前記外面は、約９０°の角度で交差する、請求項１９に記載の継手。
【請求項２１】
基盤部分をさらに備え、前記移動止めおよび前記シールが前記基盤部分から近位方向において長手方向に延し、前記移動止めは、上部を含み、前記シールは、弛緩状態で、前記上部を超えて近位に延在する、請求項１に記載の継手。
【請求項２２】
前記シールは、前記上部上を横方向に延在しない、請求項２１に記載の継手。
【請求項２３】
前記基盤部分は、前記シールの近位端が前記上部上で側方に引かれないように、前記シールを固定させるように構成される陥凹を画定する、請求項２２に記載の継手。
【請求項２４】
前記表面は、前記表面が前記移動止めに当接するとき、前記軸を斜めに横切って横たわる、請求項１に記載の継手。
【請求項２５】
前記移動止めは、第１の輪郭を有し、前記表面は、第２の輪郭を有し、前記第１の輪郭および前記第２の輪郭は、相補的である、請求項１に記載の継手。
【請求項２６】
前記シールは、第３の輪郭を有し、前記第２の輪郭および前記第３の輪郭は、相補的である、請求項２５に記載の継手。
【請求項２７】
前記シールは、第１の弾性係数を有する、第１の物質を含み、前記移動止めは、第２の弾性係数を有する第２の物質を含み、前記第２の弾性係数は、前記第１の弾性係数を上回る、請求項１に記載の継手。
【請求項２８】
前記表面は、第３の弾性係数を有するディスペンサの一部上に配置される、請求項２７に記載の継手。
【請求項２９】
前記第３の弾性係数は、前記第２の弾性係数とほぼ同一である、請求項２８に記載の継手。
【請求項３０】
前記ディスペンサに係合することによって前記密封接触を維持するように構成される係合部材をさらに備える、請求項１に記載の継手。
【請求項３１】
前記継手は、針ガードに係合するように構成される、請求項１に記載の継手。
【請求項３２】
前記内壁は、前記ディスペンサの前記側壁に係合するように構成されるボスを含む、請求項５に記載の継手。
【請求項３３】
継手のための挿入部であって、前記挿入部は、第１の材料を含み、前記継手は、第２の材料を含み、前記第１の材料は、前記第２の材料よりも伸展性であり、前記挿入部は、
ディスペンサの末端面に対して密封するように構成される遠位ガスケットと、
前記ディスペンサの側壁に係合し、前記ガスケットを前記表面に対して押勢するように構成される近位リムと、
前記ガスケットに遠位に固定され、前記リムに近位に固定されるコネクタと
をさらに備える、挿入部。
【請求項３４】
前記ガスケットは、前記継手内の陥凹内に着座されるように構成される、請求項３３に記載の挿入部。
【請求項３５】
前記コネクタは、前記継手内の陥凹内に着座されるように構成される、請求項３３に記載の挿入部。
【請求項３６】
前記リムは、前記継手のフランジに一致するように構成される、請求項３３に記載の挿入部。
【請求項３７】
前記コネクタは、前記ガスケットと前記リムとの間に力を伝達し、それによって、前記ガスケットを前記表面に対して押勢する、請求項３３に記載の挿入部。
【請求項３８】
前記コネクタは、前記ガスケットと前記リムとの間に力を伝達し、それによって、前記リムを前記側壁に対して押勢する、請求項３３に記載の挿入部。
【請求項３９】
前記挿入部は、前記継手上に成形される、請求項３３に記載の挿入部。
【請求項４０】
前記ガスケットが前記表面に対して密封するとき、前記ディスペンサの一部が、前記継手の一部と同軸である、請求項３３に記載の挿入部。
【請求項４１】
前記リムは、前記側壁に対して力を印加し、それによって、前記ディスペンサの一部を前記継手の一部と同軸に維持する、請求項４０に記載の挿入部。
【請求項４２】
前記表面は、前記第１の材料よりも伸展性でない第３の材料を含むディスペンサの一部上に配置され、前記ガスケットは、前記ガスケットが前記表面に対して押勢され、それによって、前記表面に対してガスケットを密封するとき、前記表面と前記継手との間で変形されるように構成される、請求項３３に記載の挿入部。
【請求項４３】
流体を分注するための装置であって、
初期体積の流体で事前充填されるディスペンサを密閉して係合するための結合器と、
前記ディスペンサと流体連通して置かれるように構成される通路を画定する本体であって、前記通路は、前記初期体積の１０％以上の体積を有し、皮下針と流体連通している、本体と
を備える、装置。
【請求項４４】
前記通路の体積は、前記初期体積の２５％以上である、請求項４３に記載の装置。
【請求項４５】
前記通路の体積は、前記初期体積の５０％以上である、請求項４３に記載の装置。
【請求項４６】
前記通路の体積は、前記初期体積の７５％以上である、請求項４３に記載の装置。
【請求項４７】
前記通路の体積は、前記初期体積の９０％以上である、請求項４３に記載の装置。
【請求項４８】
前記針のオリフィスを通して分注される流体の体積は、前記通路の体積以上の量だけ減少される初期体積である、請求項４３に記載の装置。
【請求項４９】
標的体積の物質を分注するためのシステムであって、前記システムは、
初期体積の前記物質で事前充填されるディスペンサであって、前記ディスペンサは、初期物質の実質的に全てを放出するように構成される、ディスペンサと、
前記ディスペンサと流体連通するリザーバであって、前記リザーバは、リザーバ体積を保持するように構成され、前記リザーバ体積は、前記初期体積の１０％以上である、リザーバと、
前記リザーバと流体連通するオリフィスを含む針であって、前記針は、前記オリフィスを通して前記標的体積を分注するように構成され、前記標的体積は、前記リザーバ体積以上の量だけ減少される前記初期体積である、針と
を含む、システム。
【請求項５０】
前記リザーバ体積は、前記初期体積の１０％以上である、請求項４９に記載のシステム。
【請求項５１】
前記リザーバ体積は、前記初期体積の２５％以上である、請求項４９に記載のシステム。
【請求項５２】
前記リザーバ体積は、前記初期体積の５０％以上である、請求項４９に記載のシステム。
【請求項５３】
前記リザーバ体積は、前記初期体積の７５％以上である、請求項４９に記載のシステム。
【請求項５４】
前記リザーバ体積は、前記初期体積の９０％以上である、請求項４９に記載のシステム。
【請求項５５】
前記ディスペンサは、プランジャとボアとを含み、前記ボアは、ボア底部を有し、前記プランジャは、前記初期体積に対応する初期位置から、前記ボア底部に近接する最終位置まで、前記ディスペンサの前記ボア内で並進させられるように構成される、請求項４９に記載のシステム。
【請求項５６】
流体ディスペンサであって、前記ディスペンサは、長手軸と遠位端とを有し、前記遠位端は、
前記長手軸を横断する移動止めであって、長手方向接触力を、前記継手の表面に対して印加することによって、前記継手中への前記ディスペンサの長手方向挿入を制限するように構成される移動止めと、
前記移動止めが前記表面に当接するとき、前記表面によって、前記表面に対する密封接触に変形されるように構成されるシールと、
前記移動止めおよび前記シールを支持し、前記継手によって受容されるように構成される末端部分と
を備える、流体ディスペンサ。
【請求項５７】
前記移動止めは、前記ディスペンサのボアと流体連通する開口を画定する、請求項５６に記載のディスペンサ。
【請求項５８】
前記継手は、前記開口と流体連通して置かれるように構成される開口部を画定する、請求項５７に記載のディスペンサ。
【請求項５９】
前記シールは、前記移動止めを囲む、請求項５６に記載のディスペンサ。
【請求項６０】
前記移動止めは、前記シールを囲む、請求項５６に記載のディスペンサ。
【請求項６１】
前記末端部分は、側壁を含み、前記継手は、内壁を含み、前記シールが、前記表面に対して密封接触し、前記移動止めが、前記表面に当接するとき、前記側壁、前記内壁、および前記シールが、前記ボアとの流体連通から隔離される領域を画定するような、請求項５８に記載のディスペンサ。
【請求項６２】
前記領域は、第１の体積を有する第１のデッドスペースであり、前記移動止めは、前記表面と接触するとき、第２の体積を有する第２のデッドスペースを画定し、前記第２の体積は、前記第１の体積の１％を超えない、請求項６１に記載のディスペンサ。
【請求項６３】
前記第２のデッドスペースは、前記表面と前期移動止めとの間の接触部と横方向に同延であり、前記表面と前期移動止めとの間で長手方向に伸びる、領域内に１つまたはそれを上回る体積を含む、請求項６２に記載のディスペンサ。
【請求項６４】
前記第２のデッドスペースは、前記シール内にある、請求項６２に記載のディスペンサ。
【請求項６５】
前記密封接触は、前記ディスペンサが流体を分注するために作動されるとき、前記ディスペンサから前記領域への流体の漏出を防止するために十分である、請求項６１に記載のディスペンサ。
【請求項６６】
前記シールは、環状である、請求項５６に記載のディスペンサ。
【請求項６７】
前記移動止めおよび前記シールは、前記末端部分から遠位方向において長手方向に延在し、前記移動止めは、底部を含み、前記シールは、弛緩状態では、前記底部を超えて遠位に延在する、請求項５６に記載のディスペンサ。
【請求項６８】
前記シールは、前記底部下で横方向に延在しない、請求項６７に記載のディスペンサ。
【請求項６９】
前記末端部分は、前記シールの遠位端が前記底部下で側方に引かれないように、前記シールを固定させるように構成される陥凹を画定する、請求項６８に記載のディスペンサ。
【請求項７０】
前記表面は、前記移動止めが前記表面に当接するとき、前記軸を斜めに横切って横たわる、請求項５６に記載のディスペンサ。
【請求項７１】
前記移動止めは、第１の輪郭を有し、前記表面は、第２の輪郭を有し、前記第１の輪郭および前記第２の輪郭は、相補的である、請求項５６に記載のディスペンサ。
【請求項７２】
前記シールは、第３の輪郭を有し、前記第２の輪郭および前記第３の輪郭は、相補的である、請求項７１に記載のディスペンサ。
【請求項７３】
前記シールは、第１の弾性係数を有する第１の物質を含み、前記移動止めは、第２の弾性係数を有する第２の物質を含み、前記第２の弾性係数は、前記第１の弾性係数を上回る、請求項５６に記載のディスペンサ。
【請求項７４】
前記表面は、第３の弾性係数を有する継手の一部上に配置される、請求項７３に記載のディスペンサ。
【請求項７５】
前記第３の弾性係数は、前記第２の弾性係数とほぼ同一である、請求項７４に記載のディスペンサ。
【請求項７６】
前記継手に係合することによって前記密封接触を維持するように構成される係合部材をさらに備える、請求項５６に記載のディスペンサ。
【請求項７７】
前記ディスペンサは、ガラスシリンジを備える、請求項５６に記載のディスペンサ。
【手続補正２】
【補正対象書類名】明細書
【補正対象項目名】０００４
【補正方法】変更
【補正の内容】
【０００４】
大きな体積を事前充填することの体積測定の精度は、小体積を事前充填することの体積測定の精度よりも高くなり得る。小体積の送達のためにディスペンサを事前充填することが望ましいとき、体積測定の精度の欠如は、許容不可能であり得る。したがって、小体積の薬剤を患者に送達するために、ディスペンサを使用するための装置および方法を提供することが、望ましいであろう。
本発明は、例えば、以下を提供する。
（項目１）
流体ディスペンサのための継手であって、前記継手は、長手軸を有し、そして
長手方向接触力を、前記ディスペンサの末端面に対して印加することによって、前記継手中への前記ディスペンサの長手方向挿入を制限するように構成される、移動止めと、
前記表面が前記移動止めに当接すると、前記表面によって、前記表面に対する密封接触に変形されるように構成される、シールと、前記表面を受容し、前記移動止めおよび前記シールを支持するように構成される、本体と、を備える、継手。
（項目２）
前記移動止めは、前記ディスペンサと流体連通して置かれるように構成される、開口部を画定する、項目１に記載の継手。
（項目３）
前記シールは、前記移動止めを囲む、項目１に記載の継手。
（項目４）
前記移動止めは、前記シールを囲む、項目１に記載の継手。
（項目５）
前記本体は、内壁を含み、そして前記ディスペンサは、側壁を含み、前記表面が、前記シールに対して密封接触し、前記移動止めに当接するとき、前記内壁、前記側壁、および前記シールが、前記ディスペンサとの流体連通から隔離される領域を画定する、項目２に記載の継手。
（項目６）
前記領域は、第１の体積を有する第１のデッドスペースであり、前記移動止めは、前記表面と接触するとき、第２の体積を有する第２のデッドスペースを画定し、第２の体積は、前記第１の体積の１％を超えない、項目５に記載の継手。
（項目７）
前記第２のデッドスペースは、前記表面と前期移動止めとの間の接触部と横方向に同延であり、前記表面と前期移動止めとの間で長手方向に延びる領域内に１つまたはそれを上回る体積を含む、項目６に記載の継手。
（項目８）
前記第２のデッドスペースは、前記シール内にある、項目６に記載の継手。
（項目９）
前記密封接触は、前記ディスペンサが流体を分注するために作動されるとき、前記ディスペンサから前記領域への前記流体の漏出を防止するために十分である、項目５に記載の継手。
（項目１０）
前記ディスペンサは、初期体積の流体で事前充填され、前記本体は、前記開口部と流体連通する空隙を画定し、前記空隙は、前記初期体積の１０％以上の空隙体積を有する、項目２に記載の継手。
（項目１１）
前記空隙体積は、前記初期体積の２５％以上である、項目１０に記載の継手。
（項目１２）
前記空隙体積は、前記初期体積の５０％以上である、項目１０に記載の継手。
（項目１３）
前記空隙体積は、前記初期体積の７５％以上である、項目１０に記載の継手。
（項目１４）
前記空隙体積は、前記初期体積の９０％以上である、項目１０に記載の継手。
（項目１５）
前記空隙と流体連通する針のオリフィスを通して分注される流体の体積は、前記空隙体積以上の量だけ減少される、前記初期体積である、項目１０に記載の継手。
（項目１６）
前記シールは、環状である、項目１に記載の継手。
（項目１７）
前記シールは、近位面を含み、前記シールは、前記近位面から離間される、遠位面を含む、項目１に記載の継手。
（項目１８）
前記近位面および前記遠位面は、実質的に平行である、項目１７に記載の継手。
（項目１９）
前記シールは、長手方向に延在する外面を含み、前記シールは、長手方向に延在する内面を含む、項目１７に記載の継手。
（項目２０）
前記遠位面および前記内面は、約９０°の角度で交差し、前記遠位面および前記外面は、約９０°の角度で交差する、項目１９に記載の継手。
（項目２１）
基盤部分をさらに備え、前記移動止めおよび前記シールが前記基盤部分から近位方向において長手方向に延し、前記移動止めは、上部を含み、前記シールは、弛緩状態で、前記上部を超えて近位に延在する、項目１に記載の継手。
（項目２２）
前記シールは、前記上部上を横方向に延在しない、項目２１に記載の継手。
（項目２３）
前記基盤部分は、前記シールの近位端が前記上部上で側方に引かれないように、前記シールを固定させるように構成される、陥凹を画定する、項目２２に記載の継手。
（項目２４）
前記表面は、前記表面が前記移動止めに当接するとき、前記軸を斜めに横切って横たわる、項目１に記載の継手。
（項目２５）
前記移動止めは、第１の輪郭を有し、前記表面は、第２の輪郭を有し、前記第１の輪郭および前記第２の輪郭は、相補的である、項目１に記載の継手。
（項目２６）
前記シールは、第３の輪郭を有し、前記第２の輪郭および前記第３の輪郭は、相補的である、項目２５に記載の継手。
（項目２７）
前記シールは、第１の弾性係数を有する、第１の物質を含み、前記移動止めは、第２の弾性係数を有する、第２の物質を含み、前記第２の弾性係数は、前記第１の弾性係数を上回る、項目１に記載の継手。
（項目２８）
前記表面は、第３の弾性係数を有するディスペンサの一部上に配置される、項目２７に記載の継手。
（項目２９）
前記第３の弾性係数は、前記第２の弾性係数とほぼ同一である、項目２８に記載の継手。
（項目３０）
前記ディスペンサに係合することによって、前記密封接触を維持するように構成される、係合部材をさらに備える、項目１に記載の継手。
（項目３１）
前記継手は、針ガードに係合するように構成される、項目１に記載の継手。
（項目３２）
前記内壁は、前記ディスペンサの前記側壁に係合するように構成される、ボスを含む、項目５に記載の継手。
（項目３３）
継手のための挿入部であって、前記挿入部は、第１の材料を含み、前記継手は、第２の材料を含み、前記第１の材料は、前記第２の材料よりも伸展性であり、前記挿入部がさらに、
ディスペンサの末端面に対して密封するように構成される、遠位ガスケットと、
前記ディスペンサの側壁に係合し、前記ガスケットを前記表面に対して押勢するように構成される、近位リムと、
前記ガスケットに遠位に固定され、前記リムに近位に固定される、コネクタと、をさらに備える、挿入部。
（項目３４）
前記ガスケットは、前記継手内の陥凹内に着座されるように構成される、項目３３に記載の挿入部。
（項目３５）
前記コネクタは、前記継手内の陥凹内に着座されるように構成される、項目３３に記載の挿入部。
（項目３６）
前記リムは、前記継手のフランジに一致するように構成される、項目３３に記載の挿入部。
（項目３７）
前記コネクタは、前記ガスケットと前記リムとの間に力を伝達し、それによって、前記ガスケットを前記表面に対して押勢する、項目３３に記載の挿入部。
（項目３８）
前記コネクタは、前記ガスケットと前記リムとの間に力を伝達し、それによって、前記リムを前記側壁に対して押勢する、項目３３に記載の挿入部。
（項目３９）
前記挿入部は、前記継手上に成形される、項目３３に記載の挿入部。
（項目４０）
前記ガスケットが前記表面に対して密封するとき、前記ディスペンサの一部が、前記継手の一部と同軸である、項目３３に記載の挿入部。
（項目４１）
前記リムは、前記側壁に対して力を印加し、それによって、前記ディスペンサの一部を、前記継手の一部と同軸に維持する、項目４０に記載の挿入部。
（項目４２）
前記表面は、前記第１の材料よりも伸展性でない第３の材料を含むディスペンサの一部上に配置され、前記ガスケットは、前記ガスケットが前記表面に対して押勢され、それによって、前記表面に対してガスケットを密封するとき、前記表面と前記継手との間で変形されるように構成される、項目３３に記載の挿入部。
（項目４３）
流体を分注するための装置であって、
初期体積の流体で事前充填されるディスペンサを、密閉して係合するための結合器と、
前記ディスペンサと流体連通して置かれるように構成される、通路を画定する本体であって、前記通路は、前記初期体積の１０％以上の体積を有し、皮下針と流体連通している、本体と、を備える、装置。
（項目４４）
前記通路の体積は、前記初期体積の２５％以上である、項目４３に記載の装置。
（項目４５）
前記通路の体積は、前記初期体積の５０％以上である、項目４３に記載の装置。
（項目４６）
前記通路の体積は、前記初期体積の７５％以上である、項目４３に記載の装置。
（項目４７）
前記通路の体積は、前記初期体積の９０％以上である、項目４３に記載の装置。
（項目４８）
前記針のオリフィスを通して分注される流体の体積は、前記通路の体積以上の量だけ減少される、初期体積である、項目４３に記載の装置。
（項目４９）
初期体積の物質で事前充填されるディスペンサから、標的体積の前記物質を分注するための方法であって、
前記ディスペンサから、初期物質の実質的に全てを放出するステップと、
前記ディスペンサと流体連通するリザーバ内に、リザーバ体積を保持するステップであって、前記リザーバ体積は、前記初期体積の１０％以上である、ステップと、
前記リザーバと流体連通する針のオリフィスを通して、前記標的体積を分注するステップであって、前記標的体積は、前記リザーバ体積以上の量だけ減少される、前記初期体積である、ステップと、を含む、方法。
（項目５０）
前記リザーバ体積は、前記初期体積の１０％以上である、項目４９に記載の方法。
（項目５１）
前記リザーバ体積は、前記初期体積の２５％以上である、項目４９に記載の方法。
（項目５２）
前記リザーバ体積は、前記初期体積の５０％以上である、項目４９に記載の方法。
（項目５３）
前記リザーバ体積は、前記初期体積の７５％以上である、項目４９に記載の方法。
（項目５４）
前記リザーバ体積は、前記初期体積の９０％以上である、項目４９に記載の方法。
（項目５５）
前記放出するステップは、前記初期体積に対応する初期位置から、ボア底部に近接する最終位置まで、前記ディスペンサのボア内でプランジャを並進するステップを含み、前記ボアは、前記ボア底部を有する、項目４９に記載の方法。
（項目５６）
流体ディスペンサであって、前記ディスペンサは、長手軸と遠位端とを有し、前記遠位端は、
前記長手軸を横断する移動止めであって、長手方向接触力を、前記継手の表面に対して印加することによって、前記継手中への前記ディスペンサの長手方向挿入を制限するように構成される、移動止めと、
前記移動止めが前記表面に当接するとき、前記表面によって、前記表面に対する密封接触に変形されるように構成される、シールと、
前記移動止めおよび前記シールを支持し、前記継手によって受容されるように構成される、末端部分と、を備える、流体ディスペンサ。
（項目５７）
前記移動止めは、前記ディスペンサのボアと流体連通する開口を画定する、項目５６に記載のディスペンサ。
（項目５８）
前記継手は、前記開口と流体連通して置かれるように構成される、開口部を画定する、項目５７に記載のディスペンサ。
（項目５９）
前記シールは、前記移動止めを囲む、項目５６に記載のディスペンサ。
（項目６０）
前記移動止めは、前記シールを囲む、項目５６に記載のディスペンサ。
（項目６１）
前記末端部分は、側壁を含み、前記継手は、内壁を含み、前記シールが、前記表面に対して密封接触し、前記移動止めが、前記表面に当接するとき、前記側壁、前記内壁、および前記シールが、前記ボアとの流体連通から隔離される領域を画定するような、項目５８に記載のディスペンサ。
（項目６２）
前記領域は、第１の体積を有する第１のデッドスペースであり、前記移動止めは、前記表面と接触するとき、第２の体積を有する第２のデッドスペースを画定し、前記第２の体積は、前記第１の体積の１％を超えない、項目６１に記載のディスペンサ。
（項目６３）
前記第２のデッドスペースは、前記表面と前期移動止めとの間の接触部と横方向に同延であり、前記表面と前期移動止めとの間で長手方向に伸びる、領域内に１つまたはそれを上回る体積を含む、項目６２に記載のディスペンサ。
（項目６４）
前記第２のデッドスペースは、前記シール内にある、項目６２に記載のディスペンサ。
（項目６５）
前記密封接触は、前記ディスペンサが流体を分注するために作動されるとき、前記ディスペンサから前記領域への流体の漏出を防止するために十分である、項目６１に記載のディスペンサ。
（項目６６）
前記シールは、環状である、項目５６に記載のディスペンサ。
（項目６７）
前記移動止めおよび前記シールは、前記末端部分から遠位方向において長手方向に延在し、前記移動止めは、底部を含み、前記シールは、弛緩状態では、前記底部を超えて遠位に延在する、項目５６に記載のディスペンサ。
（項目６８）
前記シールは、前記底部下で横方向に延在しない、項目６７に記載のディスペンサ。
（項目６９）
前記末端部分は、前記シールの遠位端が前記底部下で側方に引かれないように、前記シールを固定させるように構成される、陥凹を画定する、項目６８に記載のディスペンサ。
（項目７０）
前記表面は、前記移動止めが前記表面に当接するとき、前記軸を斜めに横切って横たわる、項目５６に記載のディスペンサ。
（項目７１）
前記移動止めは、第１の輪郭を有し、前記表面は、第２の輪郭を有し、前記第１の輪郭および前記第２の輪郭は、相補的である、項目５６に記載のディスペンサ。
（項目７２）
前記シールは、第３の輪郭を有し、前記第２の輪郭および前記第３の輪郭は、相補的である、
項目７１に記載のディスペンサ。
（項目７３）
前記シールは、第１の弾性係数を有する、第１の物質を含み、前記移動止めは、第２の弾性係数を有する、第２の物質を含み、前記第２の弾性係数は、前記第１の弾性係数を上回る、項目５６に記載のディスペンサ。
（項目７４）
前記表面は、第３の弾性係数を有する継手の一部上に配置される、項目７３に記載のディスペンサ。
（項目７５）
前記第３の弾性係数は、前記第２の弾性係数とほぼ同一である、項目７４に記載のディスペンサ。
（項目７６）
前記継手に係合することによって、前記密封接触を維持するように構成される、係合部材をさらに備える、項目５６に記載のディスペンサ。
（項目７７）
前記ディスペンサは、ガラスシリンジを備える、項目５６に記載のディスペンサ。